(57)【要約】      （修正有）【課題】容器内への異物の侵入を効果的に抑制することができると共に、蒸気を逃がすための弁が不測の圧力で容器本体側に開くことを防ぐことが可能な包装用容器を提供する。【解決手段】容器本体１１と、容器本体１１に着脱自在に取り付けられた蓋体２０と、蓋体２０が取り付けられた容器本体１１の全体あるいは一部を包装するフィルム包装材３０とを備える包装用容器１０において、蓋体２０の天板部に凹部を備え、該凹部内に、ドーム状に湾曲すると共に外周の一部を除いて切り込みを設けた弁を備えて構成した。また、天板部の上面と弁の頂上面の高低差を２．０ｍｍ以内に形成した。【選択図】図１
0003203611.tif 000002
【実用新案登録請求の範囲】
【請求項１】
容器本体と、該容器本体に着脱自在に取り付けられた蓋体と、該蓋体が取り付けられた容器本体の全体あるいは一部を包装するフィルム包装材とを備える包装用容器において、
蓋体の天板部に凹部を備えたこと、
該凹部内に、ドーム状に湾曲すると共に外周の一部を除いて切り込みを設けた弁を備えたこと、
を特徴とする包装用容器。
【請求項２】
弁の頂上面が、天板部の上面と同一平面から上方に２．０ｍｍの間に存するよう形成した請求項１に記載の包装用容器。
【考案の詳細な説明】
【技術分野】
【０００１】
本考案は弁当や各種の調理済み食品等を収容する場合などに用いる食品包装用容器に関し、より詳しくは電子レンジで加熱した際に発生する蒸気を、外部に放出するための機構を備える包装用容器に関する。
【背景技術】
【０００２】
スーパーやコンビニエンスストアなどの小売店の店頭には、弁当や各種の調理済み食品が包装用容器に包装されて数多く陳列されている。
【０００３】
かかる包装用容器は食品等を収容可能に構成された容器本体と、該容器本体の開口部に着脱自在に取り付けられた蓋体と、当該蓋体を、内容物を収容した容器本体の開口部に取り付けた状態で、容器本体と蓋体とを固定するフィルム包装材とを備えるものである。
【０００４】
上記のように食品等を収容したうえでフィルム包装された包装用容器は、フィルム包装されたそのままで電子レンジを用いて加熱されることが多い。
【０００５】
上記のような用途に用いられる包装用容器にあっては、容器本体内に収容した食品の液汁等が外部に漏れないように密閉性を確保すると共に、電子レンジで加熱した際に発生する水蒸気で容器が過度に膨張したり、破裂しないように水蒸気を容器外に放出させることが要求される。そこで蓋体に切り込みを設けたり、あるいは孔部を設けて水蒸気を外部に放出することが行われている。
【０００６】
特許文献１には、電子レンジで加熱したとき容器内部で発生する水蒸気の圧力によって部分的にコーナー部の嵌合を解除して水蒸気を外部に放出させる包装用容器が開示されている。
【０００７】
特許文献２には、容器本体のフランジあるいは蓋体のフランジのいずれか少なくとも一方に排気孔を形成した包装用容器が開示されている。
【先行技術文献】
【特許文献】
【０００８】
【特許文献１】特開２００１−９７４３６号公報
【特許文献２】特開２００７−２７６８３５号公報
【考案の概要】
【考案が解決しようとする課題】
【０００９】
図８は水蒸気を外部に放出するための弁を備えた、従来より汎用の包装用容器１を示すものである。容器本体２に着脱自在に取り付けられた蓋体３の天板部３ａには、切込みを設けることで弁４が設けられている。包装用容器１には、容器本体２内に食品を収容し蓋体３を被せたうえで、包装用容器１全体あるいは弁４の上を含む部分的に、熱収縮可能なフィルム（シュリンクフィルム）等から形成された、図示されないフィルム包装材を装着してある。
【００１０】
かかるフィルム包装材は、店頭に陳列された際に誤って蓋体が容器本体から外れてしまったり、不正に開封されてしまったりすることを防ぐため、あるいは弁から虫が侵入したり異物が入り込むことを防ぐためのものである。
【００１１】
ところが、図８に示される容器のように弁４が平板形状であり天板部３ａと同一平面上に存すると、搬送時や陳列時等にフィルム包装材に不測の圧力が加わり、弁４が容器本体２側に開いてしまうことがある。かかる状態に至ると電子レンジで加熱した際に適正に水蒸気が放出されず、結果として容器本体２内に必要以上に内圧がかかり、蓋体が外れる恐れがある。
【００１２】
本考案はかかる不都合を可及的に抑制可能な包装用容器、つまりは容器内への異物の侵入を効果的に抑制することができると共に、蒸気を逃がすための弁が不測の圧力で容器本体側に開くことを防ぐことが可能な包装用容器を提供することを目的とする。
【課題を解決するための手段】
【００１３】
上記の目的を達成する本考案の構成は次の通りである。
【００１４】
（１）  請求項１に記載の考案は、容器本体と、該容器本体に着脱自在に取り付けられた蓋体と、該蓋体が取り付けられた容器本体の全体あるいは一部を包装するフィルム包装材とを備える包装用容器において、蓋体の天板部に凹部を備え、該凹部内に、ドーム状に湾曲すると共に外周の一部を除いて切り込みを設けた弁を備えて構成した。
【００１５】
（２）  請求項２に記載の考案は、請求項１に記載の包装用容器にいおいて、弁の頂上面が、天板部の上面と同一平面から上方に２．０ｍｍの間に存するよう形成した。
【考案の効果】
【００１６】
上記のように構成される本考案が、如何に作用して課題を解決するかを図面を参照しながら概説する。
【００１７】
図１における１０は本考案にかかる包装用容器を示すものであり、容器本体１１、蓋体２０及びフィルム包装材３０より成るものである。
【００１８】
蓋体２０には図２に示すように凹部２１が設けてあり、凹部２１内にはドーム状に湾曲し、周囲に切り込み２２ａを設けた弁２２が備えられている。ドーム状に湾曲した形状を備えることから、弁２２自体が補強リブの役目を果たすことになり、つまりは外部から軽い力が加わった程度では弁２２が容器本体１１側に開いてしまうことを抑制可能となる。
【００１９】
すなわち、弁２２によれば、虫などの異物の混入や、電子レンジで加熱した際に適量以上の水蒸気が外部に放出されてしまうことを可及的に防ぐことが可能となるのである。
【００２０】
請求項２に記載の考案においては、図４に示すように弁２２の頂上面と天板部２３の上面との高低差Ｈを天板部の上面から上方に２．０ｍｍの間に存するよう形成した。弁２２の頂上面が天板部２３の上面よりわずかに高い位置に存するように構成することで、フィルム包装材で３０で弁２２を軽微な力で押さえることになり、弁２２が開いて異物が混入する恐れを可及的に防ぐことが可能となるのである。
【００２１】
上記の通り弁２２は湾曲形状を呈することからそれ自体補強リブの役目を果たし、それゆえ一定圧がかかるまで開かず、つまりは蒸気の不必要な逃げを抑制できる。かかる作用により容器本体１１内に十分な内圧がかかり出汁の味が固形物にしみ込むという効果も有するものである。
【００２２】
更には加圧された状態で温めるので蒸気により加熱しやすいという効果も有する。
【図面の簡単な説明】
【００２３】
【図１】本考案の斜視図
【図２】フィルム包装材を省略した状態の斜視図
【図３】図１におけるＡ−Ａ線断面図
【図４】弁近傍の拡大断面図
【図５】蓋体の正面図
【図６】図５におけるＢ−Ｂ線断面図
【図７】他の実施形態を示す斜視図
【図８】フィルム包装材を省略した状態の従来例斜視図
【考案を実施するための形態】
【００２４】
以下、好ましい考案の一実施形態につき、図面を参照しながら概説する。なお、本考案の実施の形態は、下記の実施形態に何ら限定されることはなく、本考案の技術的範囲に属する限り種々の形態を採りうる。
【００２５】
本実施形態に係る包装用容器１０は、図１に示すように、食品等の内容物が収容される容器本体１１と、該容器本体１１に着脱自在に取り付けられた蓋体２０と、該蓋体２０が取り付けられた容器本体１１に蓋体１２を横断するように帯状に巻き付けられたフィルム包装材３０とを備えるものである。フィルム包装材３０は帯状に限定されるわけではなく、包装用容器１０全体を覆うものであっても良く、あるいは凹部２１のみをシールするものでも良い。
【００２６】
フィルム包装材３０としては、熱収縮可能なシュリンクフィルム等から形成されたものが用いられ、フィルム包装材３０が巻き付けられた状態で加熱することにより、容器本体１１と蓋体２０とを強固に固定するように構成されている。
【００２７】
図３に示すように容器本体１１は、底面１２と当該底面１２の外周から立ち上げられた側壁１３とにより形成されるものである。側壁１３の端部には蓋体２０を支持するための嵌合受部１４が形成される。嵌合受部１４は、側壁１３の端部を容器本体１１の底面１２と略平行かつ外方に延設した平面部１４ａと、平面部１４ａから斜上方に伸びる傾斜面１４ｂと、傾斜面１４ｂの端部から底面１２と略平行かつ外方に延設した端縁部１４ｃとから成り、平面部１４ａ及び傾斜面１４ｂとから形成される空間に蓋体２０の端部が嵌りこむ構造となっている。むろんこれは一例であり、蓋体２０を支持する形状であれば任意の嵌合形態を採用できる。
【００２８】
図５、図６に示すように蓋体２０は主に、容器本体１１の開口部分を閉塞する天板部２３と、天板部２３の外周縁に存する嵌合部２４とにより成る。嵌合部２４は天板部２３から斜め下方に伸びる斜面部２４ａと、斜面部２４ａから天板部２３と略平行かつ外方に延設した平面部２４ｂと、平面部２４ｂから斜め上方に延びる斜面部２４ｃと、斜面部２４ｃから天板部２３と略平行かつ外方に延設した平面部２４ｄとから成り、容器本体１１の嵌合受部１４に嵌りこむことで、蓋体２０を容器本体１１に固定するものである。むろんこれは一例であり、容器本体１１に蓋体２０を嵌めこむことが可能な形状であれば任意の形態を採用できる。
【００２９】
蓋体２０の天板部２３には、凹部２１が設けられている。この凹部２１内に、上方つまり容器本体１１と逆方向に向かってドーム状に湾曲した弁２２が設けられている。この弁２２はドーム形状を呈する部分略外周に一部を切残した円形の切り込み２２ａを設けることで形成してある。むろん切り込み２２ａの形状はかかる限定を受けるものではなく、Ｕ字型やコ字型等でも良い。また、弁２２の強度をよりますために弁２２の表面に種々の補強リブを設けても良い。更には、図７に示すように弁２２の頂上部にくぼみ２２ｂを設けても構わない。図２に示された弁２２は略半球形のドーム状であるが、むろんかかる限定を受けるわけではなく、例えば直方体状のドーム状でも構わない。
【００３０】
尚、請求項２に記載の考案においては、図４に示すように天板部２３の上面と弁２２の頂上面の高低差Ｈを２．０ｍｍ以下に構成してある。
【００３１】
前記容器本体１１及び蓋体２０は、合成樹脂製シートが熱成形されて構成されたものである。合成樹脂としては、例えば、ポリプロピレン（ＰＰ）、ポリエチレンテレフタレート（ＰＥＴ）、あるいはポリスチレン（ＰＳ）等を単独、或いは、２種類以上が混合されたものが用いられる。
【００３２】
また、包装用容器１０は平面視で方形に形成されているが、むろんこれは一例であり平面視で円形その他任意の形状でも構わない。
【符号の説明】
【００３３】
１０・・包装用容器
１１・・容器本体
２０・・蓋体      ２１・・凹部      ２２・・弁
２３・・天板部
３０・・フィルム包装材
【図１】
0003203611.tif 000003
【図２】
0003203611.tif 000004
【図３】
0003203611.tif 000005
【図４】
0003203611.tif 000006
【図５】
0003203611.tif 000007
【図６】
0003203611.tif 000008
【図７】
0003203611.tif 000009
【図８】
0003203611.tif 000010